(57)【要約】【課題】ダウンロード光メディアとしての使い勝手がよい記憶再生方法を提供する。【解決手段】  コンテンツの画像データに、広告の画像データを挿入したテンポラリファイルを作成する。そして、広告の画像データが挿入された箇所に係る編集点のデータも作成する。この上で、テンポラリファイルは外部から読み取り可能なディスク媒体にダウンロードして記憶する。そして、編集点のデータはＲＦＩＤチップに記憶する。この上で、ＲＦＩＤを用いて再生する場合は、編集点のデータにより広告の画像を飛ばして再生し、通常の光プレーヤーで再生する場合は広告入りの画像を再生する。【選択図】  図２
2010040101.tif 000002
【特許請求の範囲】
【請求項１】
ディスク媒体に、再生時に常に再生される主再生コンテンツと、再生制御される副再生コンテンツとを記憶し、
前記ディスク媒体の副再生コンテンツの再生制御を行う再生制御データをＲＦＩＤチップに記憶する
ことを特徴とする記憶再生方法。
【請求項２】
前記再生制御データの作成をサーバで行い、
前記サーバは、前記再生制御データを公開鍵により暗号化して送信し、
暗号化された前記再生制御データを受信し、
前記ＲＦＩＤチップに記憶された秘密鍵により、暗号化された前記再生制御データを復号化し、
前記再生制御データを前記ＲＦＩＤチップに記憶する
ことを特徴とする請求項１に記載の記憶再生方法。
【請求項３】
前記副再生コンテンツに広告の画像データを用いて前記サーバで前記主再生コンテンツに前記副再生コンテンツを挿入したテンポラリファイルを作成し、
前記主再生コンテンツに前記副再生コンテンツを挿入した編集点のデータとして前記再生制御データを作成し、
前記主再生コンテンツと前記副再生コンテンツとを、前記テンポラリファイルを用いて前記ディスク媒体に記憶し、
前記再生制御データを前記ＲＦＩＤチップに記憶する
ことを特徴とする請求項１又は２に記載の記憶再生方法。
【請求項４】
前記主再生コンテンツに前記副再生コンテンツを挿入する間隔は、再生時間においてランダムに挿入する
ことを特徴とする請求項１から３のいずれか１項に記載の記憶再生方法。
【請求項５】
前記再生制御データにより前記副再生コンテンツの画像データを飛ばして再生する
ことを特徴とする請求項１から４のいずれか１項に記載の記憶再生方法。
【請求項６】
前記主再生コンテンツは、放送番組のコンテンツであり、
録画に失敗した番組の前記主再生コンテンツを用いてテンポラリファイルを作成し、
前記テンポラリファイルを前記ＲＦＩＤチップと前記ディスク媒体にダウンロードして記憶する
ことを特徴とする請求項１から５のいずれか１項に記載の記憶再生方法。
【請求項７】
前記主再生コンテンツと、前記副再生コンテンツとは、前記ディスク媒体のディスクＩＤにより暗号化して前記ディスク媒体に記憶する
ことを特徴とする請求項１から６のいずれか１項に記載の記憶再生方法。
【請求項８】
請求項１から７のいずれか１項に記載の記憶再生方法を実行する記憶再生システム。
【請求項９】
請求項１から７のいずれか１項に記載の記憶再生方法の前記ＲＦＩＤチップと前記ディスク媒体を備える記憶媒体。
【発明の詳細な説明】
【技術分野】
【０００１】
本発明は記憶再生方法、記憶再生システム、記憶媒体、特にコンテンツに広告データを入れ込む記憶再生方法、記憶再生システム、記憶媒体に関する。
【背景技術】
【０００２】
近年、レンタルビデオ店では、ＶＨＳ規格等のビデオテープを用いたレンタルから、ＤＶＤディスクやＢｌｕ−ｒａｙディスクのような光ディスク記憶媒体のレンタルが行われるようになってきている。
しかしながら、レンタルされた記憶媒体を借りて返却するのは煩わしい。
このために、近年のブロードバンドの普及により、追記可能型のＤＶＤディスクやＢｌｕ−ｒａｙディスクのような光記憶媒体にコンテンツをダウンロードして販売するという方法がいくつか提案されている（例えば、「ｈｔｔｐ：／／ｗｗｗ．ｐｈｉｌｅｗｅｂ．ｃｏｍ／ｎｅｗｓ／ｄ−ａｖ／２００７１１／１３／１９８０１．ｈｔｍｌ」の記事、「ｈｔｔｐ：／／ｗｗｗ．ｉｄｖｄｔ．ｃｏｍ／」や「ｈｔｔｐ：／／ｗｗｗ．ｄｖｄ−ｂｕｒｎ．ｊｐ／ｉｎｄｅｘ．ｈｔｍｌ」を参照）。
以下、このように、ダウンロード販売された追記可能な光記憶媒体を、ダウンロード光メディアと呼ぶ。
【０００３】
ダウンロード光メディアでは、ＰＣを用いなくても、市販のＤＶＤプレーヤー等でコンテンツを再生することが可能になる。また、ＰＣが再セットアップ等されても、コンテンツが記憶されたディスクがあるかぎり、いつでも再生可能であるという効果が得られる。
【０００４】
このダウンロード光メディアでは、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）等のコピーコントロールに対応した市販のＤＶＤ−ＲＷディスクや専用のＩＤ（Ｉｄｅｎｔｉｆｉｃａｔｉｏｎ）の書き込まれた専用の追記型ディスクのような記憶媒体毎のＩＤがある追記可能な光記憶媒体に、暗号化されたコンテンツのファイルをダウンロードして記憶する。
ところが、市販ＤＶＤコンテンツ用の暗号化ＣＳＳ（Ｃｏｎｔｅｎｔ  Ｓｃｒａｍｂｌｅ  Ｓｙｓｔｅｍ）は、ＰＣ用の再生ソフトウェアをリバース・エンジニアリング（逆アセンブル）されて解読されたという経緯がある。
このように、光記憶媒体では、暗号化方法が解読されると、暗号化されたコンテンツがすべて復号化されてしまうという問題があった。そのため、Ｂｌｕ−ｒａｙディスクにおいては、ＡＡＣＳ（Ａｄｖａｎｃｅｄ  Ａｃｃｅｓｓ  Ｃｏｎｔｅｎｔ  Ｓｙｓｔｅｍ）という、アップデート可能なコピーコントロール手法が用いられている。
しかし、光記憶媒体では、ＤＶＤドライブやＢＤドライブ等の一般的なドライブで読み込み可能な領域にＩＤや暗号化のためのキー等が記載されているという本質的な問題があり、完璧ではない。
【０００５】
このため、コンテンツの流出を前提として、コマーシャルの広告画像等の広告を入れたダウンロード光メディアを提供することがＤＶＤフォーラム等で議論されている。
しかし、ダウンロード光メディアは、広告の少ない市販ＤＶＤコンテンツと同等なものを流通コストを省いて手に入れられる点が魅力である。すなわち、広告が入ったダウンロード光メディアは、ユーザの所有欲を著しく減退させるという問題があった。
【０００６】
ここで、特許文献１を参照すると、書き換え可能なＲＦＩＤ（Ｒａｄｉｏ  Ｆｒｅｑｕｅｎｃｙ  Ｉｄｅｎｔｉｆｉｃａｔｉｏｎ）チップを埋め込んだ記憶媒体を用いた高度な暗号化を用いたレンタルビデオ業のシステムが記載されている（以下、従来技術１とする。）。
ＲＦＩＤは電磁誘導等を用い、近距離の無線通信（数センチメートル〜数メートル）により情報をやりとりするものであり、ＲＦＩＤのＩＣチップを埋め込んだプリペイドカード等が急速に普及してきている。
従来技術１では、ＲＦＩＤチップには不揮発性のＲＡＭが備えられており内容を書き換えられるＲＦＩＤチップを用いて、ＲＦＩＤから鍵を読んで復号化しながら再生する。そして、貸し出し時には専用の記憶媒体ドライブを用いてＲＦＩＤに鍵を書き込み、貸し出し条件に達した時点で鍵を消去することができる。
すなわち、商品が返却されなかったり万引きされたりした時など、貸し出し条件を満たさなくなった場合には再生不可能にすることができるため、より高度なセキュリティーを実現することができる。
【０００７】
【特許文献１】特開２００３−１８７５２４号公報
【発明の開示】
【発明が解決しようとする課題】
【０００８】
しかしながら、従来技術１は、光メディアに記憶された暗号化されたコンテンツを、ＲＦＩＤチップを用いて復号化するために、ＲＦＩＤを読み取り可能な専用のドライブがないと再生できないという問題があった。このため、ダウンロード光メディアに適用すると使い勝手が非常に悪くなるという問題があった。
よって、光記憶媒体のコンテンツに広告を入れた上で、ダウンロード光メディアのユーザの所有欲を満足させる記憶再生方法が求められていた。
【０００９】
本発明は、このような状況に鑑みてなされたものであり、上述の課題を解消することを課題とする。
【課題を解決するための手段】
【００１０】
本発明の記憶再生方法は、ディスク媒体に、再生時に常に再生される主再生コンテンツと、再生制御される副再生コンテンツとを記憶し、前記ディスク媒体の副再生コンテンツの再生制御を行う再生制御データをＲＦＩＤチップに記憶することを特徴とする。
本発明の記憶再生方法は、前記再生制御データの作成をサーバで行い、前記サーバは、前記再生制御データを公開鍵により暗号化して送信し、暗号化された前記再生制御データを受信し、前記ＲＦＩＤチップに記憶された秘密鍵により、暗号化された前記再生制御データを復号化し、前記再生制御データを前記ＲＦＩＤチップに記憶することを特徴とする。
本発明の記憶再生方法は、前記副再生コンテンツに広告の画像データを用いて前記サーバで前記主再生コンテンツに前記副再生コンテンツを挿入したテンポラリファイルを作成し、前記主再生コンテンツに前記副再生コンテンツを挿入した編集点のデータとして前記再生制御データを作成し、前記主再生コンテンツと前記副再生コンテンツとを、前記テンポラリファイルを用いて前記ディスク媒体に記憶し、前記再生制御データを前記ＲＦＩＤチップに記憶することを特徴とする。
本発明の記憶再生方法は、前記主再生コンテンツに前記副再生コンテンツを挿入する間隔は、再生時間においてランダムに挿入することを特徴とする。
本発明の記憶再生方法は、前記再生制御データにより前記副再生コンテンツの画像データを飛ばして再生することを特徴とする。
本発明の記憶再生方法は、前記主再生コンテンツは、放送番組のコンテンツであり、録画に失敗した番組の前記主再生コンテンツを用いてテンポラリファイルを作成し、前記テンポラリファイルを前記ＲＦＩＤチップと前記ディスク媒体にダウンロードして記憶することを特徴とする。
本発明の記憶再生方法は、前記主再生コンテンツと、前記副再生コンテンツとは、前記ディスク媒体のディスクＩＤにより暗号化して前記ディスク媒体に記憶することを特徴とする。
本発明の記憶再生システムは、前記記憶再生方法を実行することを特徴とする。
本発明の記憶再生システムは、前記記憶再生方法の前記ＲＦＩＤチップと前記ディスク媒体を備える記憶媒体であることを特徴とする。
【発明の効果】
【００１１】
本発明によれば、コンテンツに広告の画像データを挿入したテンポラリファイルを外部から読み取り可能なディスク媒体に記憶し、編集点のデータをＲＦＩＤチップに記憶することで、通常のプレーヤーでは広告入りの画像を再生し、ＲＦＩＤチップを用いて再生する場合は該編集点のデータを用いることで広告を含まないように再生する、使い勝手のよい記憶再生方法を提供できる。
【発明を実施するための最良の形態】
【００１２】
＜第１の実施の形態＞
図１を参照して、本発明の実施の形態に係るＲＦＩＤを用いた記憶再生システムＸの端末１の外観を示す。
端末１は、通常の光学ドライブ等であるドライブ部２００と、拡張ボード等であるＲＦＩＤ読み取り部２５０を備えている。
記憶媒体１０がＰＣ２０に近づけられると、アンテナ１６０を用いて、ＲＦＩＤチップ１５０と、ＲＦＩＤ読み取り部との間で通信が行われて、後述するような情報がやり取りされる。
そして、記憶媒体１０を、ＰＣ２０に備えた光学メディアのドライブ等であるドライブ部２００に挿入すると、光学的な記憶情報を読み出し／書き込むことができる。
【００１３】
〔記憶再生システムＸのシステム構成〕
次に、図２を参照して、本発明の実施の形態に係る記憶再生システムＸのシステム構成について説明する。
記憶再生システムＸは、主に端末１とサーバ３とが、ネットワーク５と接続しているように構成される。
端末１は、上述のようにインテリジェントな記憶媒体１０と、ＰＣ２０と、表示部４０と、入力部６０とを含んで構成されるコンテンツを再生する端末である。
【００１４】
記憶媒体１０は、一般的な光学ドライブで読み込み・書き込み可能な光学読み取り可能なディスク媒体１７０（ディスク媒体、光メディア）等に、ＲＦＩＤ用のＲＦＩＤチップ１５０とアンテナ１６０とを備えている。
記憶媒体１０が、例えば保護層が薄いＢｌｕ−ｒａｙディスクの場合は、メディア内の全面に感度の良いアンテナを装備することができ、ＲＦＩＤチップ１５０を記憶面の上面に埋め込むことができる。この場合は、ＲＦＩＤチップ１５０とアンテナ１６０とは直接人目に触れることはない。この際、記憶媒体１０の表面には、電波を防げないように導電性の金属を含まない顔料で着色・印刷することができる。
ＲＦＩＤチップ１５０は、書き換え可能な大容量フラッシュメモリとＣＰＵ等の制御部を備えたインテリジェントなＲＦＩＤチップである。このＲＦＩＤチップ１５０の構成については後述する。
アンテナ１６０は、非接触型の無線アンテナ等であり、ＰＣ２０との間で信号等をやり取りする。なお、アンテナ１６０は、ディスクの回転により電磁誘導等で起電力を発生するような仕組みにすることもできる。
ディスク媒体１７０は、Ｂｌｕ−ｒａｙディスクやＤＶＤやＣＤ等で読み込みオンリー（ＲＯＭ）又は書き込み可能な（Ｒ、±ＲＷ、ＲＡＭ、ＲＥ等）各種の光記憶媒体、リムーバブルＨＤＤ等の磁気記憶媒体、又は光磁気又は磁気記憶メディア等である。ディスク媒体１７０は、ディスク媒体製造時にレーザー等で焼き付けられるディスクＩＤを備えていることが好適であるが、このディスクＩＤがない構成も可能である。以下では、ディスク媒体１７０が、例えば、ＢＤ−Ｒ（１回のみ追記可能なＢｌｕ−ｒａｙディスク）、ＢＤ−ＲＥ（複数回書き換え可能なＢｌｕ−ｒａｙディスク）である場合について説明する。
【００１５】
なお、記憶媒体１０が、カートリッジ付きのシールドタイプのディスク媒体の場合はＲＦＩＤチップ１５０とアンテナ１６０とをカートリッジの方に備えることもできる。
また、ＲＦＩＤチップ１５０の発熱を抑えるように省電力に構成し、さらに記憶媒体１０をカバーするジャケットに熱透過性のプラスチックやグラファイト等の熱拡散機能を備えることができる。このジャケットから放出された熱は、ドライブ部２００の回転により拡散されて外部に放出されるように構成される。
また、ディスク媒体１７０は必ずしもディスク状の記憶媒体でなくてもよく、図３の補助記憶部１２０よりも容量が多くて安価に製造でき、ドライブ部２００等で読み取られるものであれば何でもよい。
たとえば、大容量フラッシュメモリ、原子間力カンチレバー方式の記憶メディア、カード型の多層ホログラムメディア等を用いることもできる。
【００１６】
ＰＣ２０は、一般的なＰＣ／ＡＴ互換機やＭＡＣ規格機等であるＰＣ（Ｐｅｒｓｏｎａｌ  Ｃｏｍｐｕｔｅｒ）、ノート型ＰＣ、ＢＤ／ＤＶＤレコーダ、ＢＤ／ＤＶＤプレーヤー、セットトップボックス、ネットワーク映像配信端末、ビデオゲーム機、携帯端末、携帯電話等である。ＰＣ２０は、液晶ディスプレイや有機ＥＬディスプレイ等である表示部４０と、リモコンやマウス等のポインティングデバイスやキーボード等である入力部６０と、Ｂｌｕｅｔｏｏｔｈ（登録商標）や赤外線や有線接続等で接続している。そして、ＰＣ２０は、通信網であるネットワーク５を介し、サーバ３と接続している。
ＰＣ２０は、これらのサーバと通信してダウンロード光メディアとして録画・再生するためのＯＳやプログラムを備えている。
ＲＦＩＤ読み取り部２５０は、例えばＰＣＩやＭｉｎｉ−ＰＣＩやＰＣＩ−ｅｘｐｒｅｓｓ等で接続された拡張ボード形式のＲＦＩＤの信号を送受信する部位である。ＲＦＩＤ読み取り部２５０は、ＲＦＩＤチップ１５０がドライブ部２００に挿入されていても、２．４ＧＨｚ帯のような波長が長い電波等を用いて、十分ＲＦＩＤチップ１５０を活性化し、信号のやり取りをすることができる。また、外部にアンテナを備えており、記憶媒体１０を近づけただけでもＲＦＩＤチップ１５０を活性化して信号を送受信可能である。
さらに、ＲＦＩＤ読み取り部２５０は、ＧＰＵ（グラフィック・プロセッシング・ユニット）、映像／音声コーデックをデコード／エンコードするためのＡＳＩＣ（アプリケーション・スペシフィック・インテグレーテッド・サーキット）等を内蔵しており、ビデオエンコーダやレンダリングエンジンやフレームメモリやＭＰＥＧ２／ＭＰＥＧ４／Ｈ．２６４／ＶＣ−１／ＭＰ３／ＡＡＣ等の各種ビデオ／オーディオコーデックの再生機能等により、ＲＦＩＤチップ１５０の鍵によりデコードされた映像を出力することができる。このために、ＰＣ２０の映像出力ボードではなく、ＲＦＩＤ読み取り部２５０からＨＤＭＩ端子等を介して直接表示部４０に接続するように構成することができる。また、ＥＦＩ（Ｅｘｔｅｎｓｉｂｌｅ  Ｆｉｒｍｗａｒｅ  Ｉｎｔｅｒｆａｃｅ）用のＲＯＭにプログラムを内蔵し、ＰＣ２０を起動する際に直接、ＲＦＩＤチップ１５０を用いてダウンロード光メディアとして用いるプログラムをＰＣ２０の主記憶部等にロードして使用するように構成することができる。
なお、ＲＦＩＤ読み取り部２５０を、拡張カード形式ではなくドライブ部２００の内部や、ドライブ部２００の機能の一部として備えることも可能である。
【００１７】
サーバ３は、例えばＷｉｎｄｏｗｓ（登録商標）サーバ２００８やＬｉｎｕｘ（登録商標）を備えて複数のユーザがアクセスできるサーバであり、専用のサービス（デーモン）を備えて後述するコンテンツの販売に対応する。なお、端末１は同様の構成の端末１が複数存在し、記憶媒体１０も複数存在する。
ネットワーク５は無線ＬＡＮ、有線ＬＡＮ、携帯電話網、ＰＨＳ網、ＷｉＭＡＸ、ｃＬｉｎｋ、電灯線ネットワーク、専用線、その他のネットワーク網であり、サーバ３と端末１とを接続する。
【００１８】
ゲートウェイサーバ３１は、専用機やＰＣ／ＡＴ互換機等であるサーバであり、インターネット等であるネットワーク５と接続するゲートウェイ（ルータ）となるサーバである。ゲートウェイサーバ３１は、ＩＰマスカレード、ロードバランシング、ファイアーウォール等の機能を備えている。さらに、ゲートウェイサーバ３１は、ＷＷＷウェブサーバやＦＴＰサーバのようなサービス（デーモン）を実行しており、コンテンツサーバ３２にアクセスするためのポータルサイトのホームページ等のデータやコンテンツのファイルをＰＣ２０へ送信することができる。
コンテンツサーバ３２は、専用機やＰＣ／ＡＴ互換機等であるサーバであり、映画や音楽のコンテンツのファイル等のデータが記憶されているサーバである。コンテンツサーバ３２は、コンテンツのファイルや種別を示すデータ等を含むデータベースであるコンテンツデータベース３２０と、ダウンロード光メディアに後述する広告を入れ込むための広告データベース３２５とを備えている。これらのデータベースは、ＭｙＳＱＬやＰｏｓｔｇｒｅＳＱＬのようなＳＱＬデータベースエンジン等を用いており、ゲートウェイサーバ３１からのみアクセスできる。本発明の第１の実施の形態に係るコンテンツサーバ３２では、コンテンツデータベース３２０のコンテンツのファイルが再生時に常に再生される主再生コンテンツとなり、広告の画像ファイルが再生制御される副再生コンテンツとなる。
ユーザ認証サーバ３３は、コンテンツ販売のためのユーザ認証を行い、不正な記憶媒体１０をチェックして無効化するためのサーバである。このために、ユーザ認証サーバ３３は、ユーザデータベース３３０を備えている。ユーザデータベース３３０は、各ＲＦＩＤチップ１５０用のＲＳＡ（Ｒｉｖｅｓｔ  Ｓｈａｍｉｒ  Ａｄｌｅｍａｎ）暗号等の公開鍵暗号の公開鍵・秘密鍵を記憶する。この公開鍵・秘密鍵ペアは、コンテンツを暗号化して送信し、ＰＣ２０で暗号化されて送信されたＩＤ等を複合する際にも使用する。
【００１９】
〔記憶媒体１０のＲＦＩＤチップ１５０の制御構成〕
次に、図３を参照して、本発明の実施の形態に係る端末１のうち、主に記憶媒体１０のＲＦＩＤチップ１５０の制御構成について説明する。
ＲＦＩＤチップ１５０は、制御部１００（制御手段）と、主記憶部１１０と、補助記憶部１２０と、電源・通信部１３０とを備えて構成されている。コスト低減のために、制御部１００と、主記憶部１１０と、補助記憶部１２０とは、少ないチップ数で構成するのが好ましく、さらにシステムＬＳＩ等により１チップで構成するのが好適である。
制御部１００は、ＣＰＵ（中央処理装置）、ＭＰＵ（マイクロ・プロセッシング・ユニット）、ＤＳＰ（デジタル・シグナル・プロセッサ）等であり、補助記憶部１２０やディスク媒体１７０に記憶されているプログラム等を実行する。また、制御部１００は、ＢＤ−Ｊａｖａ（登録商標）高速化用チップを内蔵してもよい。
主記憶部１１０は、ＤＲＡＭ（ダイナミック・ランダム・アクセス・メモリ）やＳＲＡＭ（スタティック・ランダム・アクセス・メモリ）等であり、補助記憶部１２０やディスク媒体１７０から読み出されたプログラムや各種の一時データ等を記憶する。
補助記憶部１２０は、フラッシュメモリや小型ＨＤＤやＲＯＭ（リード・オンリー・メモリー）等の不揮発性の記憶部であり、後述する編集点のデータ（再生制御データ）を記憶するために数ＭＢ（メガバイト）以上の容量を備えていることが好適である。また、ＢＤ−Ｌｉｖｅ等に対応するためには１ＧＢ（ギガバイト）以上の容量をもつのが望ましい。
電源・通信部１３０は、アンテナ１６０と接続しており、電磁誘導等により電源を供給されてＲＦＩＤチップ１５０の他の部位に供給する。また、デジタル信号を電波信号に変換してアンテナ１６０を介して例えば近距離無線通信を行う部位である。
【００２０】
補助記憶部１２０について更に詳しく説明する。補助記憶部１２０は、公開鍵１２１（公開鍵）と、秘密鍵１２２（秘密鍵）と、固有ＩＤ１２３と、メディア情報管理部１２４と、インデックス管理部１２５とを備えている。
公開鍵１２１は、ユーザ認証サーバ３３のユーザデータベース３３０に記憶された公開鍵と同様な公開鍵を示す。公開鍵１２１は、ＲＦＩＤチップ１５０の固有のＩＤ（Ｉｄｅｎｔｉｆｉｃａｔｉｏｎ）を暗号化して送信する際等に使用する。
秘密鍵１２２は、サーバから暗号化されて送信されてきたコンテンツ等のデータを復号化する際に使用する秘密鍵であり、ユーザ認証サーバ３３のユーザデータベース３３０に記憶された秘密鍵と同様のものである。
固有ＩＤ１２３は、ＲＦＩＤチップ１５０毎に異なる固有の数値等が書かれたＩＤと、ダウンロード時に固有の番号が割り振られるＩＤである。この固有ＩＤ１２３は、サーバ３からの指示により書き換えも可能である。
メディア情報管理部１２４は、ダウンロード光メディアとしてコンテンツがダウンロードされた時期や回数やライセンス等を記憶する部位である。後述するように、メディア情報管理部１２４により、不正な製品（海賊製品）等で録画したものが記録されていたら拒否するために使用することもできる。また、ディスク媒体１７０のディスクＩＤ若しくはこの代わりになるＩＤについても記憶することができる。
インデックス管理部１２５は、ディスク媒体１７０に記憶されたコンテンツや広告のデータのディスク媒体上でのオフセット位置等であるインデックスを記憶する部位である。これにより、後述する広告と一体となったダウンロード光メディアを実現することができる。
ここで、補助記憶部１２０に記憶されたものを、ＲＦＩＤチップ１５０によらずに外部から読み出すことは困難である。
【００２１】
なお、ＰＣ２０でダウンロード光メディアを再生するために使用するＯＳやプレーヤープログラムを、補助記憶部１２０や、ディスク媒体１７０に備えるような構成も可能である。
この場合は、ＰＣ２０のドライブ部２００に記憶媒体１０を挿入して起動した場合に、ダウンロード光メディアとして機能するように構成することができる。
【００２２】
〔ダウンロード記憶媒体のダウンロード／再生処理〕
ここで、本発明の第１の実施の形態に係る記憶再生システムＸを、ダウンロード光メディアのようなダウンロード記憶媒体のシステムとして用いる例の構成について、図４〜図６を参照して説明する。
図４のフローチャートでは、ダウンロード光メディアの記憶処理と、再生処理とを一つの流れにまとめて説明している。しかし、これらの操作は、ユーザにより別々に行うことが可能である。
まず、ユーザによりＰＣ２０が起動されると、ＰＣ２０の制御部がＰＣ２０の主記憶部にロードされたダウンロード光メディアのプログラムを実行して、記憶媒体１０がドライブ部２００に装着されるのを待つ。この上で、ＰＣ２０は、サーバ３とネットワーク５を介して接続する。
【００２３】
（ステップＳ１０１）
ステップＳ１０１にて、制御部１００は、記憶媒体認証処理を行う。
ここでは、記憶媒体１０がＰＣ２０に近づけられると、ＲＦＩＤ読み取り部２５０と通信可能になる。この通信されたデータやコマンドを基に、ＰＣ２０の制御部とダウンロード光メディアのプログラムが協調して各種処理を行う。
図５を参照して説明すると、まず、タイミングＴ１０１で、制御部１００は、固有ＩＤ１２３を公開鍵１２１で暗号化してサーバ３に送信するコマンドを送信する。
タイミングＴ１０２にて、サーバ３のゲートウェイサーバ３１は、送信された固有ＩＤ１２３をユーザ認証サーバ３３に送信する。
タイミングＴ１０３にて、ユーザ認証サーバ３３は、ユーザデータベース３３０にアクセスし、秘密鍵により固有ＩＤ１２３を復号化して、この固有ＩＤ１２３が不正でないか確認する。ここでは、不正なＲＦＩＤチップ１５０であるか、又は不正な機器にて録画、ダウンロードされたのか等について確認する。
タイミングＴ１０３にて、ユーザ認証サーバ３３は、この確認結果を、ゲートウェイサーバ３１に送信する。
タイミングＴ１０４にて、ゲートウェイサーバ３１は、確認結果をネットワーク５を介してＰＣ２０に送信する。
タイミングＴ１０５にて、制御部１００は、この確認結果を受信すると、もし不正である場合は、記憶媒体１０を再生しないようにコマンドを送信する。ここで、記憶媒体１０がドライブ部２００に既に装着されている場合には、リジェクトするようなコマンドを送信する。
逆に、確認結果が正常であった場合は、制御部１００は、画面表示コマンドを送信する。
【００２４】
次にタイミングＴ１０６にて、制御部１００は、画面表示コマンドにより、以下の情報を、ダウンロード光メディアのプログラムを用いて表示部４０に表示する。
（１）記録済みのデータ内容、タイトル、記録可能なスペース情報等のディスク情報を、補助記憶部１２０のメディア情報管理部１２４とインデックス管理部１２５から読み出して表示する。
（２）ディスク種別（記録可能か、再生専用か、店頭デモや特定の場所・機器のみ再生するような特殊用途向けか等）をメディア情報管理部１２４を読み出して表示する。
（３）ＰＣ２０では再生／録画を禁止されている記憶媒体１０であるとして、挿入（装着）を拒否する旨を表示する。この表示においては、上述の不正なＲＦＩＤチップ１５０や不正な機器であったかの確認の表示をする。加えて、使用者を限定する際にパスワード入力等を求めるプライベート・オンリー処理や、ユーザの年齢等による制御であるペアレンタル制御にも対応することも可能である。
【００２５】
このように、市販の映画等が録画されたパッケージメディアのＢＤ−ＲＯＭ等と異なり、通常は見た目では何が記録されているか／いないのかが分からない録画用の追記型光ディスクについて、記憶媒体１０をかざすだけで内容を表示できるという効果が得られる。
また、上述のプライベート・オンリー処理等と組み合わせると、何を録画しているのかを他の人に知られることがないために、プライバシー保護になるという効果も得られる。
更に、記憶媒体認証処理は、複数の記憶媒体１０との間で行うことができる。すなわち、ＰＣ２０の近くに置いてある複数の記憶媒体１０と通信可能であるので、多数のディスクがあっても読み出しを行うことができる。よって、ディスク・ライブラリ（保管棚等）の内容の一覧を行うことも可能である。この場合は、ユーザの指示により、制御部１００は、メディア情報管理部１２４に、その記憶媒体１０が置かれている棚の位置等についても記憶しておき、表示することができる。
この画面表示コマンドによる表示を行った後、制御部１００は処理をステップＳ１０２に進める。
【００２６】
（ステップＳ１０２）
次に、ステップＳ１０２において、制御部１００は、記憶処理を行う。
図５を参照して同様に説明すると、まず、タイミングＴ１０７において、記憶媒体１０がドライブ部２００の内部に挿入されると、ダウンロード光メディアのプログラムによりＰＣ２０の制御部がその旨を制御部１００に通知する。この際に、挿入されたのがＲＦＩＤチップ１５０を備えた記憶媒体１０であるかについても認証する。
そして、ユーザの指示によりＧＵＩ（グラフィカル・ユーザ・インターフェイス）を用いてコンテンツの選択を行われると、サーバ３との間で決済処理を行う。
この上で、ユーザの意思確認を行うと、選択されたコンテンツのダウンロード処理が始まる。
【００２７】
この決済処理としては、一般的なクレジットカード決済等を用いてもよい。しかし、本発明の第１の実施の形態に係る記憶再生システムＸにおいては、記憶媒体１０を購入後、所定期間又は回数、コンテンツのダウンロードし放題のようなビジネス方法を提供することができる。以下で、このようなビジネス方法を用いた際の決済処理について詳しく説明する。
タイミングＴ１０８において、制御部１００は、メディア情報管理部１２４を参照して、この所定期間又は回数に達していないかのダウンロード・チェックを行う。
タイミングＴ１０９において、制御部１００は、ダウンロード・チェックの結果が大丈夫であれば、その旨をサーバ３に送信するコマンドを通信する。
タイミングＴ１１０において、サーバ３のゲートウェイサーバ３１は、ダウンロード・チェックの結果をコンテンツサーバ３２に送信する。
なお、所定期間又は回数の条件については、ユーザ認証サーバ３３により確認するようにしてもよい。
【００２８】
記憶媒体１０のダウンロード光メディアの所定期間としては、例えば数日〜１ヶ月〜１年のような期間を、記憶媒体１０の購入時に支払う金額により決定することができる。また、ダウンロードし放題ではなく、既存のレンタル業のように、再生可能な期間としての所定期間を設定することもできる。
同様に、所定回数についても、ダウンロード可能な回数、又は視聴回数の制限について、１回〜無制限といった回数を指定することができる。
このため、購入した記憶媒体１０のメディア情報管理部１２４に、この金額や期間や回数等を、工場出荷時又はセキュア（安全）な店頭端末等により書き込むことも可能である。
また、記憶媒体１０とＲＦＩＤ読み取り部２５０をセットで販売又はレンタルするようなビジネスモデルも可能である。この場合は、記憶再生システムＸとは別に決済を行って、サーバ３に報告されたダウンロード回数により課金するようなシステムにすることもできる。さらに、ジャケットにＲＦＩＤチップ１５０を備える構成の場合は、ディスク媒体１７０のみを別に販売することもできる。
このように、ダウンロード光メディアのコンテンツのダウンロード時に課金のための情報としてクレジットカードのＩＤを入力しないようにすることで、より安全なコンテンツを提供することができる。
【００２９】
次に、タイミングＴ１１１において、コンテンツサーバ３２は、ダウンロード処理を開始する。ここでは、後述するテンポラリファイルや編集点のデータを作成して、ゲートウェイサーバ３１に送信する。
ダウンロード処理としては、まず、コンテンツサーバ３２は、ユーザにより選択されたコンテンツをコンテンツデータベース３２０から選択して、コンテンツサーバ３２上にテンポラリファイルを作成する。
ここでは、コンテンツサーバ３２は、コンテンツの画像ファイルについて、固有ＩＤ１２３のＲＦＩＤチップ１５０のＩＤを用いて電子透かしを掛けてテンポラリファイルを作成する。
この上で、広告データベースより広告の画像データをテンポラリファイルに、例えばランダムな間隔で入れ込む。この入れ込む間隔としては、数分単位のような短い間隔で複数回入れることが望ましく、１１０分のコンテンツの場合は数十回広告を挿入することができるが、これに限られない。さらに、ＰＣ２０での再生にのみ用いることができる追加コンテンツ等を加えてもよい。
また、広告データを入れ込む間隔としては、固有ＩＤ１２３をハッシュ関数等で処理した数列を用いた間隔で入れ込むこともできる。これにより、広告を含んだデータがインターネット等に流出した場合に、どの記憶媒体１０から流出したのか特定することができる。
【００３０】
次に、コンテンツサーバ３２は、コンテンツ画像と広告画像のタイムレコードのような時間的・ファイル内の位置について、再生リストやチャプター情報のようなデータである再生制御データを作成する。すなわち、細切れになったコンテンツ画像と広告画像の編集点のデータを再生制御データとして作成する。
この上で、コンテンツサーバ３２は、広告が入れ込まれたテンポラリファイルを公開鍵により暗号化する。これにより、ネットワーク上でファイルが復号化されて参照される危険性は抑えることができる。
【００３１】
テンポラリファイルに入れ込む広告としては、記憶再生システムＸの提供者（以下、管理者という。）が、広告代理店のように必要な広告の画像データを広告主（スポンサー）から取得又は作成して広告データベース３２５に入れておく。
この上で、管理者は、広告主が出資した金額に応じて広告画像を入れ込むようにすることができる。または、一つ広告を入れ込むごとに広告主に課金することもできる。
さらに、コンテンツを提供するコンテンツ制作会社や著作者のトレーラームービー等を、１ダウンロードについて必ず１つは入れ込むようにする等により、コンテンツ制作会社や著作者の協力を得やすくすることもできる。
【００３２】
なお、テンポラリファイルに広告を入れ込む間隔としては、コンテンツの画像ファイルに予め組み込まれたチャプターのように意味を持たせた間隔のような間隔を用いることもできる。また、画像ファイルの再生する順番を入れ替えるような処理をすることも可能である。
すなわち、再生する画像ファイルの時間的な位置をカット＆ペーストのようにシャッフルすることも可能である。さらに、単に編集点のデータだけではなく、チャプターリストを作成する際に通常のプレーヤーが通常のチャプターサーチをしても到達できないようなファイル構造のファイルとしてコンテンツの一部のみにしかアクセスできないようにすることも可能である。
【００３３】
次に、タイミングＴ１１２において、ゲートウェイサーバ３１は、テンポラリファイルや編集点のデータのファイルをＰＣ２０へ送信する。
【００３４】
最終的に、タイミングＴ１１３において、制御部１００は、上述のコンテンツに係るテンポラリファイルのダウンロードが開始されると、この暗号化されたファイルを受信して秘密鍵１２２により復号化し、ディスク媒体１７０に書き込むようにコマンドを通信する。
この際に、本発明の実施の形態に係るディスク媒体１７０は通常のダウンロード光メディアに用いることができる記憶媒体であるために、ＡＡＣＳやＣＰＲＭ等の、レコーダとプレーヤーの間で不正機器を無効化する際に用いるＭＫＢ（メディア・キー・ブロック）、記憶媒体毎のＩＤであるメディアＩＤ、コンテンツに固有のタイトル鍵を用いた通常の暗号化技術を用いて暗号化されて記憶される。
この上で、上述の編集点のデータのファイルは、制御部１００が秘密鍵１２２を用いて復号化して、チャプターリストのような形式でインデックス管理部１２５に記憶する。
さらに、制御部１００、コンテンツの記録済みのデータ内容、タイトル、記録可能なスペース情報等についても、データを取得・計算してメディア情報管理部１２４に記憶する。
ダウンロードが終了すると、制御部１００は「ダウンロード完了」を表示するコマンドを通信して、処理をステップＳ１０３の再生処理に進める。
【００３５】
なお、ここですぐに再生処理に進まずに、ダウンロード光メディアのタイトルを表示したり、さらに他のコンテンツをダウンロードするように勧める画面を表示する処理を行うことも可能である。
また、記憶媒体１０がドライブ部２００から取り出された場合には、ステップＳ１０１の記憶媒体認証処理から処理を始める。
また、ダウンロード処理の度に暗号化する公開鍵・秘密鍵ペアを変更するようにしてもよい。この場合は、サーバ３が新しい公開鍵・秘密鍵を記憶媒体１０が記憶している公開鍵１２１により暗号化して送信することで対応可能である。
【００３６】
（ステップＳ１０３）
制御部１００は、再生処理を行う。
図６を参照すると、ＲＦＩＤチップ１５０とＲＦＩＤ読み取り部２５０とを用いて再生する場合、制御部１００は、インデックス管理部１２５に記憶された編集点のデータを基にしたチャプターリストを、ＰＣ２０の制御部のダウンロード光メディアの再生プログラムに通信する。これにより、ユーザは、コンテンツを広告を含まないように視聴、再生することができる。
もちろん、チャプターサーチのような機能により、広告やトレーラームービーや追加コンテンツにアクセスすることは可能である。
また、広告を含むように再生した場合には、その旨をサーバ３に通知して「ポイント」としてサーバ３のユーザ認証サーバ３３のユーザデータベース３３０に蓄積することができる。このような構成にすることで、ダウンロード光メディアの決済料金を低減したりプレゼント抽選等で還元を行うことができる。すなわち、広告の視聴によりダウンロード光メディアの「レンタル」料金に差をつけることが可能である。
【００３７】
これに対して、ＲＦＩＤチップ１５０とＲＦＩＤ読み取り部２５０とを用いない通常のＢＤプレーヤー等を用いた場合は、上述のテンポラリファイルの通りに、広告コンテンツが間に例えばランダムに挿入された状態で再生される。
すなわち、従来技術１と異なり、本発明の実施の形態に係る記憶媒体１０においては、ディスク媒体１７０上では、通常の暗号化技術により暗号化されているために、ＡＡＣＳやＣＰＲＭ等に対応しているＰＣ２０以外の通常のプレーヤーについても、画像データを盗まれる心配を抑えたまま広告が入れ込まれたコンテンツを視聴できる。
この状態のように通常のプレーヤーで視聴した場合は、コンテンツ画像と広告画像との間にチャプター等の情報を読み出すことができず、ファイルが広告とコンテンツとで一体化されているために、画像のスキップ等により「とばし見」することは困難である。このため、確実に広告を視聴させることができるという効果が得られる。
このような再生形態で再生されることで、管理者は広告収入を得ることを期待することができる。また、プロモーションムービーのように、通常の店舗で販売されるセルパッケージの販売を促進することもできる。
なお、広告を含んだ状態で、コンテンツの内容に従ったチャプターに移動させることは可能に構成することも可能である。
【００３８】
（ステップＳ１０４）
再生が終了したのを検知するか所定時間経過後に、制御部１００は、再生終了処理を行う。
この処理においては、制御部１００はメディア情報管理部１２４を読み出して、上述の所定期間や視聴回数等を過ぎていないかについて調べる。
そして、所定期間や視聴回数等の条件に合わなくなっていた場合には、メディア情報管理部１２４の情報の情報の変更、インデックス管理部１２５のチャプターリストを消去、秘密鍵１２２の消去といった処理を行うことができる。
これらは、所定期間や視聴回数等の条件により、柔軟に設定することが可能である。なお、これらの再生終了処理により、チャプターリストを消去した場合でも、上述のように通常の広告を含んだ通常の光メディアとして再生可能である。
以上により、ダウンロード記憶媒体のダウンロード／再生処理を終了する。
【００３９】
以上のように構成することで、以下のような効果を得ることができる。
まず、従来のダウンロード光メディアにおいては、広告を入れ込むコンテンツをダウンロードすると、ユーザの所有欲を著しく減退させて、コンテンツの販売に影響があるという問題があった。
これに対して、本発明の第１の実施の形態に係る記憶再生方法を用いることで、ＲＦＩＤチップ読み取り部２５０を用いると、通常のＰＣで広告を見ることなくコンテンツを再生することが可能である。このため、ユーザの所有意欲を向上させる効果が得られる。
【００４０】
また、従来のダウンロード光メディアにおいては、光記憶媒体をドライブで読み取れる状態にしない限り、何が記憶されているのかを閲覧することができなかった。このためには、光記憶媒体の回転スピードが物理的に読み込み可能な状態になるまで数秒〜十数秒待たねばならず、使い勝手が悪かった。
これに対して、本発明の第１の実施の形態に係る記憶再生システムＸの記憶媒体１０では、ＲＦＩＤを用いることにより、ドライブに挿入したディスクの回転スピードが上がるまで待つ必要もないどころか、ディスク媒体１７０を近づけるだけで情報を読み出すことができる。
これに加えて、記録済みのデータ内容・タイトル・記録可能なスペース情報等を読み出して表示可能である。
また、ディスク種別、すなわち記録可能か、再生専用か、特殊用途向けかといった情報をメディア情報管理部１２４から読み出して表示可能である。
また、その装置で処理できない（再生/録画禁止されている）ディスクの挿入を拒否可能である。これにより、ライベート・オンリーのような使用者限定に対応し、ペアレンタル制御にも対応可能である。
また、見た目は何が記録されているか判らないディスクの内容を外から閲覧することができ、プライバシー保護に対応することができる。
また、複数のＲＦＩＤチップ１５０とも通信可能であるので、多数のディスクがあっても読むことができる。このため、ＰＣ２０の近くに置いてある保管棚等のディスク・ライブラリの内容一覧が可能である。
これらにより、使い勝手のよい記憶再生方法と記憶再生システムを提供することができる。
【００４１】
さらに、従来のＢＤ／ＤＶＤディスクにおいては、１枚毎にディスク製造時にレーザ等を用いてディスクＩＤを物理的にカッティングして加工・管理している。このディスクＩＤは、物理的なカッティングなので書き換えができない。このため、不正なディスクＩＤを用いられた場合に対応できないという問題があった。
これに対して、本発明の第１の実施の形態に係る記憶媒体１０においては、固有ＩＤ１２３は、ダウンロード時に更新されるＩＤを含ませることができる。このため、ディスク媒体１７０にディスクＩＤを入れなくてもよいという効果が得られる。このために、製造工程で物理的なカッティングをせずに、出荷時にＩＤ管理を行うことができ、ディスクの製造・生産管理が容易になるという効果が得られる。
また、不正な固有ＩＤをもつディスク媒体に対応することができるという効果が得られる。すなわち、そのディスクの履歴管理ができ、転売・再販品かどうか、レンタル履歴の書き込み、利用ポイントの管理等を行うことができる。さらに、ある時点から突然読めなくなるディスクとして、たとえばレンタル等に用いることができる。
【００４２】
また、さらに、従来のＢＤ／ＤＶＤディスクにおいては、記録された機器を管理ファイルにも記述しているが、書き換えられる怖れがあるという問題があった。このために、不正なメディアへの対処が完璧ではないという問題があった。
また、従来技術１においては、通常の光ディスクプレーヤーでは再生できないという問題があった。
しかしながら、本発明の実施の形態に係る記憶媒体１０においては、ＲＦＩＤチップ１５０のメディア情報管理部１２４に記録機器を記憶することで、記憶された機器の特定をすることができる。このために、不正（海賊）製品で録画したものが記録されていたら、挿入前に拒否することが可能である。
さらに、本発明の第１の実施の形態に係る記憶再生システムＸにおいては、記憶媒体１０を通常の光ディスクプレーヤーでも再生可能であるという効果が得られる。
加えて、各ディスク媒体１７０のディスクＩＤとＲＦＩＤチップ１５０の固有ＩＤを別にすることで、ＲＦＩＤチップ１５０が取り外されて他のディスク媒体１７０に装備された際のような不正な状態に対応することが可能であるという効果が得られる。
【００４３】
また、従来技術１のレンタルサービスについては、ディスクＩＤとユーザ認証については、具体的な開示が少ないために、実際にどのようにセキュリティーを向上させるのかが不明であった。
これに対して、本発明の第１の実施の形態に係る記憶再生システムＸにおいては、コンテンツのダウンロードにＲＦＩＤチップ１５０の固有ＩＤ１２３、公開鍵１２１、秘密鍵１２２を用いることができる。
このために、通常の個人ＩＤ、たとえばクレジットカード番号を入力して決済するようなシステムに比べて、より高いセキュリティーを得ることができる。すなわち、クレジットカード等を使わずに決済可能であるという効果が得られる。
このために、記憶媒体１０をディスクジャケットを購入すると所定期間や所定回数コンテンツのダウンロードし放題といったビジネスモデルを安全に構築することができるという効果が得られる。
また、通常のプレーヤーで再生したときに広告をとばし見することが困難であるために、たとえコンテンツがコピーされたとしても安全であり、プロモーション効果を得ることができるという効果が得られる。
また、ダウンロードされたコンテンツには電子透かしが入っているために、インターネット等にアップロードされたコンテンツに係る記憶媒体１０を特定することができるという効果が得られる。
【００４４】
なお、上述の第１の実施の形態に係る記憶再生方法においては、決済を行ってコンテンツと編集点のデータを同時に送受信するように記載したが、これに限られない。
たとえば、広告が挿入されたコンテンツは、記憶媒体１０の実費程度でダウンロードさせ、編集点のデータは同時にはダウンロードしないようにすることも可能である。
この場合、サーバ３には編集点のデータを蓄積しておく。そして、コンテンツを「所有」したいと思ったユーザが所定期間内に決済を行った場合に、編集点のデータをダウンロードして、広告を見ないで再生するようにすることができる。この録画再生法方では、上述のカートリッジにＲＦＩＤチップ１５０が備えられている構成を用いると、通常の広告が挿入されたコンテンツを購入したカートリッジに装着することで、広告なしでの再生を可能とすることができ、好適である。さらに、カートリッジに市販ＤＶＤ−ＲＯＭやＢＤ−ＲＯＭと同様な印刷を行って、所有欲をかき立てることもできる。
また、カートリッジにＲＦＩＤチップ１５０が備えられている場合には、予め上述のハッシュ関数を解読できる鍵も記憶しておき、編集点のデータをダウンロードせずにチャプターリストを作成するように構成することもできる。同様に、広告が挿入されたコンテンツの含まれた光記憶媒体について、追記可能な記憶媒体へのダウンロードではなく、通常のマスタを用いたプレス加工等でＲＯＭ（リード・オンリー・メモリー）の記憶媒体として用意することもできる。
【００４５】
＜第２の実施の形態＞
我が国の従来のデジタル放送の録画／再生では、高いビットレートのＨＤＴＶ（高精細テレビジョン）放送を用いており、コンテンツの違法コピーを防ぐことに細心の注意が払われていた。このため、暗号化された放送データをＢ−ＣＡＳカード（株式会社ビーエス・コンディショナル・アクセス・システムズの限定視聴カード）と呼ばれるＩＣカード内の秘密鍵を用いて復号化して録画／再生を行っていた。しかしながら、このＩＣカードを用いた方法でも、復号化された状態のデータをコピーされる怖れがあるため、ＰＣを用いてデジタル放送の録画／再生をする場合、ＰＣ内に録画されたデータに関しても、デジタルチューナボードのＩＤ等を用いて各社が独自に暗号化を行っていた。このため、ＰＣが故障した場合には暗号化されたデータが再生不可能になるという問題があった。
さらに著作権法の問題もあり、我が国では、ビデオ・オン・デマンドのように、放送されたコンテンツをそのままネットワークから取得して視聴することが難しかった。
よって、ＰＣを用いたデジタル放送の録画／再生の際の使い勝手が非常に悪いという問題があった。
【００４６】
ここで、上述の第１の実施の形態に係る記憶再生システムＸは、主にダウンロード光メディアを用いる場合について説明した。このシステムは、デジタル放送の録画／再生に対しても、多少の構成の変更により用いることが可能である。
これにより、使い勝手がよく、コンテンツ提供者に保証金を確実に支払うことができる、デジタル放送とビデオ・オン・デマンドシステムの複合システムとなる記憶再生システムＹを提供することができる。
以下で、図７〜図８を参照して、デジタル放送の録画／再生に対応した、本発明の第２の実施の形態に係る記憶再生システムＹについて説明する。
【００４７】
〔記憶再生システムＹのシステム構成〕
図７を参照すると、本発明の第２の実施の形態に係る記憶再生システムＹは、端末２と、サーバ４とが、ネットワーク５を介して接続するように構成されている。ここで、図２の本発明の第１の実施の形態に係る記憶再生システムＸと同じ符号は同様な構成要素について示している。
端末２の記憶媒体１０は、第１の実施の形態に係る記憶再生システムＸの記憶媒体１０とまったく同様のものを用いることができる。そして、この記憶媒体１０は、固有ＩＤ１２３やメディア情報管理部１２４に、テレビジョン録画用のＩＤやメディア情報が書き込まれている。さらに、秘密鍵１２２には、ダウンロード時に復号化するための鍵に加えて従来のＢ−ＣＡＳカードと同様の鍵についても記憶されている。この鍵を用いて、録画／再生の際に録画されたデータを、復号化して再生を行うことができる。また、秘密鍵１２２を含むＲＦＩＤチップ１５０の補助記憶部１２０は、従来のＢ−ＣＡＳカードと同様に放送波でのアップデートやＣＳ放送やＷＯＷＯＷ（登録商標）等の有料放送等にも対応する。
ＰＣ２１は、デジタル放送を受信するためのデジタルチューナ等であるチューナ部５０が備えられている。そして、ＥＰＧ（電子番組ガイド）等に対応した、デジタル放送の録画／再生プログラムを実行している。
番組サーバ３４は、番組データベース３４０と、広告データベース３２５を含んで構成される。番組データベース３４０は、デジタル放送番組のコンテンツの画像データを記憶している。このコンテンツの画像データは、放送時のデータからＳＩ情報等のダウンロード時には必要ないデータを除いて容量を削減したデータを用いることができる。本発明の第２の実施の形態に係る番組サーバ３４では、番組データベース３４０のコンテンツのファイルが再生時に常に再生される主再生コンテンツとなり、広告データベース３２５の広告の画像ファイルが再生制御される副再生コンテンツとなる。ここで、広告データベース３２５に記憶する広告としては、通常のテレビコマーシャルの画像データを用いてもよいし、後述するようにＥＰＧ用に通常のテレビコマーシャルとは別の広告の画像データを用意してもよい。
【００４８】
〔デジタル放送の録画／再生処理〕
次に、図８のフローチャートを参照して、デジタル放送の録画／再生処理について詳しく説明する。
まずは、ＰＣ２１が起動されて、記憶媒体１０がＰＣ２１のＲＦＩＤ読み取り部２５０に近づけられた際に、ＰＣ２１のデジタル放送の録画／再生プログラムのＧＵＩが起動する。この上で、記憶媒体１０のＲＦＩＤチップ１５０とＰＣ２１の制御部により、以下の処理が行われる。
【００４９】
（ステップＳ２０１）
まず、制御部１００は、記憶媒体認証処理を行う。
この処理の基本的な流れは、ステップＳ１０１と同様である。
この上で、メディア情報管理部１２４を参照して、後述するダビング処理等に用いることができるかどうかをデジタル放送の録画／再生プログラムにより表示する。
また、決済については、記憶媒体１０を買うときに、私的録画保証金のようなものを支払うようにすることができる。
また、特定の有料放送の提供者が、その有料放送の録画専用の記憶媒体１０を販売することもできる。その際には、固有ＩＤ１２３とメディア情報管理部１２４に、有料放送用のメディアである旨を記憶する。
【００５０】
（ステップＳ２０２）
次に、制御部１００は、録画処理を行う。
このステップにおいては、ユーザにより既存のＥＰＧ等で選択された番組について、チューナ部５０で受信された放送のデータを、固有ＩＤ１２３の秘密鍵１２２を用いて復号化する。この上で、固有ＩＤ１２３により電子透かしをかけて、公開鍵１２１でディスク媒体１７０や、ＰＣ２１の補助記憶部であるＨＤＤやフラッシュメモリ等に記憶する。Ｂ−ＣＡＳカードの秘密鍵はアップデートされることがあるため、この秘密鍵１２２については、録画処理時のものをメディア情報管理部１２４に毎回記憶して再生処理やダビング処理時に適宜用いるようにしてもよい。
ディスク媒体１７０に記憶する際には、記憶媒体１０がドライブ部２００に挿入される必要がある。また、タイマー録画の場合は、所定の時間になった場合にＰＣ２１を起動して対応する。
この録画処理においては、デジタル放送のＳＩ情報等からＥＰＧデータを抽出して、メディア情報管理部１２４に記憶する。また、有料放送か無料放送かといったデータについても、メディア情報管理部１２４に記憶する。
なお、よりセキュリティーを確保するために、暗号化されたままのデータをディスク媒体１７０や、ＰＣ２１の補助記憶部に保存してもよい。
【００５１】
（ステップＳ２０３）
次に、制御部１００は、ダウンロード処理を行う。
ここで、ＰＣ２１を用いた録画においては、デジタル放送の録画レベルが不安定だった場合や、ＰＣ２１に汎用のＰＣを用いた場合は他のプログラムとの動作の整合性で不安定になる場合等で、録画に失敗することが多々ある。
このために、録画に失敗した場合にのみ、ユーザが録画を意図していたというメディア情報管理部１２４の情報に従って、サーバ３からビデオ・オン・デマンド形式でテレビジョン番組のコンテンツをダウンロードすることができる。これにより、放送の各種権利に抵触しにくいように、放送コンテンツのビデオ・オン・デマンドを実現することができる。なお、上述の録画処理で、実際の放送による録画を行わずに直接、ダウンロード処理を行うような構成も可能である。
コンテンツ画像のダウンロードに関しては、ステップＳ１０２の記憶処理と同様に、テンポラリファイルを作成して広告データベース３２５からテレビコマーシャルの画像データ（副再生コンテンツ）を入れ込んで行うことができる。
この際に、現行の放送モデルではテレビコマーシャルは同一の時間帯に視聴されることを前提に放送局が広告主に支払う金額等を決定しているが、録画を前提としたコマーシャルの画像データを入れ込むことができ、１回のダウンロードごとに課金することもできる。この録画を前提としたコマーシャルに関しては、番組の提供者のコマーシャルとは別の、時間帯によって入れられるコマーシャルの代わりとして提供することができる。また、ダウンロード時にのみ、より多くのコマーシャルの画像データを入れ込むこともできる。
また、デジタル放送の録画／再生処理では、有料放送以外の場合は、インデックス管理部１２５に編集点のデータ等である再生制御データを記憶しないようにすることもできる。さらに、有料放送の場合は、暗号化したままのデータをディスク媒体１７０に記憶しておくこともできる。
【００５２】
（ステップＳ２０４）
次に、制御部１００は、再生処理を行う。この再生処理は、ステップＳ１０３の再生処理と同様に行うことができる。
また、このステップＳ２０４のデジタル放送での再生処理については、無料放送の場合は、コマーシャルのデータも確実に放送することが好ましい。逆に、有料放送の場合は、上述のように暗号化したままのデータを秘密鍵１２２により復号化して再生する。
また、決済する金額によりコマーシャルを見る場合とコマーシャルなしの場合を使い分けることもでき、これにより放送をダウンロード光メディアのデータ送信に利用できる。よって、ＨＤＴＶコンテンツの販売を安価でき、流通を促進できるという効果が得られる。
なお、この再生処理は、当然のことながら、録画終了後にいつでも実行できる。また、再生処理を行なわずに、デジタル放送の録画／再生プログラムのＧＵＩを表示させることもできる。
以下で、追加仕様となる「ダビング」処理について説明する。
【００５３】
（ステップＳ２０５）
このステップでは、制御部１００がダビング処理を行う場合について説明する。
上述のディスク媒体１７０又はＰＣ２１の補助記憶部に記憶されたデータは、他の記憶媒体にコピーする「ダビング」を行うことができる。
この際、我が国のデジタル放送においては、コピー制御のためのルールが定められており、「コピーフリー」「コピーワンス」「ダビング１０」といったルールを用いてコピーを行うことができる。これらのコピー制御については、放送のデータに記憶されており、録画処理時又はダウンロード処理時に、メディア情報管理部１２４に記憶することができる。
ここでは、ディスク媒体１７０に記憶されたデータを、一旦、ＰＣ２１の補助記憶部にコピーして、メディア情報管理部１２４のコピー回数を書き換えることで、ダビングに対応することができる。
すなわち、「コピーワンス」の場合には「ムーブ」のように記憶媒体１０のコピー回数をなくし、「ダビング１０」の場合には記憶媒体１０のコピー回数を例えば１０から減少させてゆくことができる。
【００５４】
この際、ディスク媒体１７０に記憶されたデータが暗号化されている場合には、データを一旦ＰＣ２１の補助記憶部にコピーした記憶媒体１０をドライブ部２００から取りだして、ＲＦＩＤ読み取り部２５０に読み取れる近くの場所に置く。また、ＰＣ２１の補助記憶部に記憶した際にも、ステップＳ２０１で記憶媒体認証処理を行った記憶媒体１０を、同様に近くの場所に置く（これらの記憶媒体１０を、記憶媒体１０−１とする）。
その上で、データをダビングする空き領域のある別の記憶媒体１０（この記憶媒体１０を記憶媒体１０−２とする）をドライブ部２００に挿入して、記憶媒体１０−１の秘密鍵１２２により復号化した上で、記憶媒体１０−２の公開鍵１２１で暗号化して記憶媒体１０−２のディスク媒体１７０に記憶する。
このように構成することで、「コピーワンス」「ダビング１０」に対応できるのに加えて、暗号が解読されて放送コンテンツが流出するのを防止することが可能になる。このために、「コピーフリー」での運用も可能となるという効果が得られる。
また、ダビング処理時にいちいちサーバ３と認証処理を行うようにすれば、ダビングに際して広告料金を徴収することも可能になり、放送局が新たな収入源が得られるという効果が得られる。
【００５５】
以上のように構成することで、以下のような効果が得られる。
従来技術１のレンタルシステムでは、放送に対してどのように鍵を用いるかについて開示がないため、通常のデジタル放送の録画／再生には対応することができなかった。
これに対して、本発明の第２の実施の形態に係る記憶再生システムＹにおいては、Ｂ−ＣＡＳカードと同様な秘密鍵１２２を記憶しておき、メディア情報管理部１２４を用いることによって、放送コンテンツの流出を抑えることができるという効果が得られる。
また、デジタル放送とビデオ・オン・デマンドシステムの複合システムとなる記憶再生システムＹを提供することができるという効果が得られる。
さらに、インデックス管理部１２５により、放送を用いて安価に販売用コンテンツを提供することもできるという効果が得られる。
加えて、記憶媒体１０を購入する場合に、私的複製のための保証金を確実に徴収することができ、保証金が支払われていないメディアを排除することができるという効果が得られる。
【００５６】
また、従来のデジタル放送の録画／再生をＰＣで行う場合には、放送コンテンツの流出を怖れるために、ＰＣのＨＤＤ上でＢ−ＣＡＳカードとは異なる暗号化を行う必要があった。これは、Ｂ−ＣＡＳカードの暗号化は放送の時点で復号するために用いられるために、改訂された場合には対応できないためであった。
これに対して、本発明の第２の実施の形態に係る記憶媒体１０では、録画時のＢ−ＣＡＳカードの秘密鍵をＲＦＩＤチップ１５０に記憶しているために、ＰＣを再インストール等を行った場合でも、録画した番組のデータを再生・ダビング可能であるという効果が得られる。
なお、記憶媒体１０では、放送時とダウンロード時において、別の秘密鍵１２２を用いることで、よりセキュリティーを強固にすることもできる。
また、本発明の記憶再生システムＹは、ＥＰＧをアナログ放送やｉＥＰＧのようにインターネットから取得して、アナログ放送や再送信放送等にも用いることができる。
【００５７】
また、上述の第１、第２の実施の形態では、主再生コンテンツを映画や放送番組等のコンテンツとし、副再生コンテンツを広告の画像として説明した。
しかし、主再生コンテンツと副再生コンテンツは、これに限られない。たとえば、特定用途用の画像ではないデータも使用することができる。特定用途用の画像ではないデータとしては、例えば、音声データや、実験データや、その他正しい形に時系列的に「再生」するデータについては何でも用いることができる。
また、副再生コンテンツそのものを用意せず、乱数列や主再生コンテンツを逆再生したデータのようなデータを使用することもできる。この場合は、主再生コンテンツと副再生コンテンツを画像解析等で特徴量を計算して簡単に分離されるようなことがないように選択することが重要である。
また、副再生コンテンツを再生制御データに従ってＭＰＥＧの特定のＩピクチャに混ぜ込んでゆくような構成も可能である。さらに、主再生コンテンツを時系列的ではないように「スクランブル」をかけることもできる。たとえば、各フレーム毎に所定ラインに副再生コンテンツを混ぜたり、特定の座標に副再生コンテンツを混ぜることも可能である。そして、再生制御データにより、これらを分離可能である。
【００５８】
また、再生制御データについても、編集点に関するデータには限られない。たとえば、再生制御データとして、再生時に必要なディスクのファイルやフォーマット等の管理情報そのものを書き込むこともできる。これにより、この管理情報がないと再生不可能なディスク媒体を提供することもできる。
さらに、ダウンロードした際の個別のＩＤや番号のみを再生制御データとして、ＲＦＩＤチップに記憶し、再生制御データは、すべてサーバ上で管理することもできる。すなわち、再生する度に、常に再生制御データをダウンロードするような構成も可能である。この場合、無線ＩＣタグのＩＤを用いてサーバにアクセスし、サーバにより無線ＩＣタグのＩＤを用いて暗号化した主再生コンテンツ、副再生コンテンツ、及び再生制御データをダウンロードし、ディスク媒体に記憶する。このような構成では、暗号化には関係ない単なるＩＤを記憶した無線ＩＣタグを用いることができるため、ＲＦＩＤチップのコストを削減することができる。
また、専用ドライブと組み合わせて、ディスク媒体の暗号化を強化することで、特定用途向けの記憶媒体を提供できる。たとえば、潜水艦の聴音データ等、高度な国家的機密に属して持ち出しが禁止されている公文書等の保管に使用できる。すなわち、ＲＦＩＤチップの秘密鍵とサーバ内の鍵が必要なので、よりセキュリティーを強固にできる。この場合には、ＲＦＩＤチップを回転により起電力が発生し、外部からアクセスしにくいタイプにすることで、さらにセキュリティーを高めることができる。
【００５９】
なお、上記実施の形態の構成及び動作は例であって、本発明の趣旨を逸脱しない範囲で適宜変更して実行することができることは言うまでもない。
【図面の簡単な説明】
【００６０】
【図１】本発明の第１の実施の形態に係る記憶再生システムＸの端末１の外観を示す概念図である。
【図２】本発明の第１の実施の形態に係る記憶再生システムＸのシステム構成図である。
【図３】本発明の第１の実施の形態に係る記憶媒体１０のＲＦＩＤチップ１５０の制御構成を示すブロック図である。
【図４】本発明の第１の実施の形態に係るダウンロード記憶媒体のダウンロード／再生処理に係るフローチャートである。
【図５】本発明の第１の実施の形態に係る記憶媒体認証処理と記憶処理のタイミングチャートであるである。
【図６】本発明の第１の実施の形態に係る再生処理の概念図である。
【図７】本発明の第２の実施の形態に係る記憶再生システムＹのシステム構成図である。
【図８】本発明の第２の実施の形態に係るデジタル放送の録画／再生処理に係るフローチャートである。
【符号の説明】
【００６１】
１、２  端末
３、４  サーバ
５  ネットワーク
１０  記憶媒体
２０、２１  ＰＣ
３１  ゲートウェイサーバ
３２  コンテンツサーバ
３３  ユーザ認証サーバ
３４  番組サーバ
４０  表示部
５０  チューナ部
６０  入力部
１００  制御部
１１０  主記憶部
１２０  補助記憶部
１２１  公開鍵
１２２  秘密鍵
１２３  固有ＩＤ
１２４  メディア情報管理部
１２５  インデックス管理部
１３０  電源・通信部
１５０  ＲＦＩＤチップ
１６０  アンテナ
１７０  ディスク媒体
２００  ドライブ部
２５０  ＲＦＩＤ読み取り部
３２０  コンテンツデータベース
３２５  広告データベース
３３０  ユーザデータベース
Ｘ、Ｙ  記憶再生システム
【図１】
2010040101.tif 000003
【図２】
2010040101.tif 000004
【図３】
2010040101.tif 000005
【図４】
2010040101.tif 000006
【図５】
2010040101.tif 000007
【図６】
2010040101.tif 000008
【図７】
2010040101.tif 000009
【図８】
2010040101.tif 000010